(57)【特許請求の範囲】
【請求項１】
ユーザのスケジュール・イベントを設定するための命令を受信するように構成された命令受信ユニットであって、前記スケジュール・イベントはスケジュール内容とスケジュール状態とスケジュール日を含む命令受信ユニットと、
前記スケジュール・イベントの前記スケジュール状態に従って前記スケジュール・イベントを時間軸上で前記時間軸の２つの側に表示するように構成されたスケジュール表示ユニットと、
を備え、
ここで、前記スケジュール・イベントの前記スケジュール状態に従って前記スケジュール・イベントを前記時間軸の前記２つの側に表示することは、
スケジュール状態が未完了であるスケジュール・イベントを前記時間軸の一方の側で表示することと、
スケジュール状態が完了であるスケジュール・イベントを前記時間軸の他方の側で表示することと
を具備する、端末。
【請求項２】
前記時間軸上でカレンダ時間がマークされ、前記スケジュール表示ユニットは、前記スケジュール日に対応し前記時間軸上にあるスケジュール・イベントをカレンダ時間に表示するように構成された第１の表示サブユニットを備える、請求項１に記載の端末。
【請求項３】
同一のスケジュール日にあるスケジュール・イベントの数がディスプレイ・インタフェースの表示範囲を超過したときに、前記表示範囲を超過したスケジュール・イベントに対する拡張表示グループを確立するように構成された拡張表示グループ確立ユニットをさらに備える、請求項２に記載の端末。
【請求項４】
前記スケジュール表示ユニットは、前記スケジュール・イベントの前記スケジュール状態が変化したときに、前記スケジュール・イベントを前記時間軸の他方に移動して表示するように構成された第３の表示サブユニットをさらに備える、請求項１に記載の端末。
【請求項５】
前記スケジュール・イベントはさらにスケジュール重要度を含み、前記スケジュール表示ユニットはさらに、前記スケジュール・イベントのスケジュール重要度と様々な属性に従って、前記スケジュール・イベントを前記時間軸に表示するように構成された第４の表示サブユニットを備える、請求項１乃至４の何れか１項に記載の端末。
【請求項６】
前記様々な属性は、スケジュール・イベントと前記時間軸の距離およびスケジュール・イベントの表示色のような少なくとも１つの属性を含む、請求項５に記載の端末。
【請求項７】
前記時間軸はディスプレイ・インタフェースにおいて横方向または縦方向に表示される、請求項１乃至６の何れか１項に記載の端末。
【請求項８】
ユーザのスケジュール・イベントを設定するための命令を受信するステップであって、前記スケジュール・イベントはスケジュール内容とスケジュール状態とスケジュール日を含むステップと、
前記スケジュール・イベントの前記スケジュール状態に従って前記スケジュール・イベントを時間軸上で前記時間軸の２つの側に表示するステップと、
を含み、
ここで、前記スケジュール・イベントの前記スケジュール状態に従って前記スケジュール・イベントを前記時間軸の前記２つの側に表示することは、
スケジュール状態が未完了であるスケジュール・イベントを前記時間軸の一方の側で表示することと、
スケジュール状態が完了であるスケジュール・イベントを前記時間軸の他方の側で表示することと
を具備する、スケジュール表示方法。
【請求項９】
前記時間軸上でカレンダ時間がマークされ、前記スケジュール・イベントを前記時間軸に表示するステップは、前記スケジュール日に対応し前記時間軸上にある各スケジュール・イベントをカレンダ時間に表示するステップを含む、請求項８に記載の方法。
【請求項１０】
同一のスケジュール日にあるスケジュール・イベントの数がディスプレイ・インタフェースの表示範囲を超過したときに、前記表示範囲を超過したスケジュール・イベントに対する拡張表示グループを確立するステップをさらに含む、請求項９に記載の方法。
【請求項１１】
前記スケジュール・イベントを前記時間軸に表示するステップはさらに、前記スケジュール・イベントの前記スケジュール状態が変化したときに、前記スケジュール・イベントを前記時間軸の他方に移動して表示するステップを含む、請求項８に記載の方法。
【請求項１２】
前記スケジュール・イベントはスケジュール重要度を含み、前記スケジュール・イベントを前記時間軸に表示するステップは、前記スケジュール・イベントのスケジュール重要度と様々な属性に従って、前記スケジュール・イベントを前記時間軸に表示するステップを含む、請求項８乃至１１の何れか１項に記載の方法。
【請求項１３】
前記様々な属性は、スケジュール・イベントと前記時間軸の距離およびスケジュール・イベントの表示色のような少なくとも１つの属性を含む、請求項１２に記載の方法。
【請求項１４】
前記時間軸はディスプレイ・インタフェースにおいて横方向または縦方向に表示される、請求項８乃至１３の何れか１項に記載の方法。
【発明の詳細な説明】
【技術分野】
【０００１】
関連出願の記載
本願は、発明の名称を「端末およびスケジュール表示方法」とした、２０１２年１月１８日に中国国家知識産権局に出願された中国特許出願第２０１２１００１６３１０．３号に対する優先権を主張し、その全体を引用により本明細書に取り込む。
【０００２】
本発明は、端末の分野に関し、特に、端末およびスケジュール表示方法に関する。
【背景技術】
【０００３】
コンピュータや携帯電話のような端末の最新アプリケーションでは、端末装置は一般にスケジュール表機能を有する。当該機能は、仕事や生活における重要事項を記録しユーザに思い出させ、ユーザが日々の出来事を管理するのを支援するために使用される。従来型のスケジュール表では、スケジュール情報やカレンダが統合され、スケジュール情報の内容が図１に示すように当該カレンダにおいて直接表示される。
【発明の概要】
【発明が解決しようとする課題】
【０００４】
この従来型のスケジュール表の提示方式では情報がカレンダ内の対応する位置に直接表示されるが、この表示方式の表示効果は直感的ではなく、同時点におけるスケジュール情報の量が過度であるときには、表がスケジュール情報で一杯になり、その表示効果は無秩序なものとなる。さらに、完了したスケジュール作業をリアルタイムでスケジュール表に表示することができず、その結果、完了したスケジュール作業を未完了のスケジュール作業から明確に区別することが困難になる。
【課題を解決するための手段】
【０００５】
本発明の諸実施形態では端末とスケジュール表示方法を提供する。当該端末とスケジュール表示方法は、スケジュール情報の表示効果を高め、完了したスケジュール作業と未完了のスケジュール作業の明確な区別することができる。以上の目的を達成するために本発明の諸実施形態では以下の技術的解決策を使用する。
【０００６】
端末が、ユーザのスケジュール・イベントを設定するための命令を受信するように構成された命令受信ユニットであって、当該スケジュール・イベントはスケジュール内容とスケジュール日を含む命令受信ユニットと、当該スケジュール・イベントを時間軸に表示するように構成されたスケジュール表示ユニットとを備える。
【０００７】
スケジュール表示方法が、ユーザのスケジュール・イベントを設定するための命令を受信するステップであって、当該スケジュール・イベントはスケジュール内容とスケジュール日を含むステップと、当該スケジュール・イベントを時間軸に表示するステップとを含む。
【０００８】
本発明の諸実施形態で提供する端末とスケジュール表示方法によれば、ユーザのスケジュール・イベントがユーザのスケジュール・イベントを設定するための命令に従って時間軸の形で表示され、ユーザのスケジュール情報の表示効果が高まり、ユーザ・エクスペリエンスの改善が支援される。
【０００９】
本発明の諸実施形態または先行技術における技術的解決策をより明確に説明するために、当該諸実施形態または先行技術を説明するのに必要な添付図面を以下で簡単に説明する。明らかに、以下の説明における添付図面は本発明の幾つかの諸実施形態にすぎず、当業者は創造的作業なしに添付図面に従って他の図面をさらに取得することができる。
【図面の簡単な説明】
【００１０】
【図１】先行技術におけるスケジュール表の略図である。
【図２】本発明の第１の実施形態に従う端末のブロック図である。
【図３】本発明の第２の実施形態に従う端末のブロック図である。
【図４】本発明の第２の実施形態に従う、スケジュールを端末のディスプレイ・インタフェースに表示するための略図である。
【図５】本発明の第２の実施形態に従う、スケジュールを端末のディスプレイ・インタフェースに表示するための別の略図である。
【図６】本発明の第２の実施形態に従う、スケジュールを端末のディスプレイ・インタフェースに表示するための別の略図である。
【図７】本発明の第２の実施形態に従う、拡張表示グループを有するスケジュールを表示するための略図である。
【図８】本発明の第２の実施形態に従う、スケジュールを端末のディスプレイ・インタフェースに表示するための別の略図である。
【図９】本発明の第３の実施形態に従うスケジュール表示方法の流れ図である。
【発明を実施するための形態】
【００１１】
本発明の諸実施形態における技術的解決策を、本発明の諸実施形態における添付図面を参照して以下で明確かつ十分に説明する。明らかに、説明する諸実施形態は本発明の諸実施形態の全部ではなく一部にすぎない。本発明の諸実施形態に基づいて、当業者が創造的作業なしに取得する他の全ての実施形態は本発明の保護範囲に入るものとする。
【００１２】
実施形態１
本発明の１実施形態では端末を提供する。図２に示すように、当該端末は命令受信ユニット２１とスケジュール表示ユニット２２を備える。
【００１３】
命令受信ユニット２１は、ユーザのスケジュール・イベントを設定するための命令を受信するように構成される。当該スケジュール・イベントは、スケジュール内容とスケジュール日を含む。スケジュール表示ユニット２２は、当該スケジュール・イベントを時間軸に表示するように構成される。
【００１４】
ここで、カレンダ時間は時間軸に記録される。時間軸の、各スケジュール・イベントの表示位置に対応するカレンダ時間は、各スケジュール・イベントのスケジュール日と整合する。
【００１５】
本発明の第１の実施形態で提供する端末によれば、ユーザのスケジュール・イベントがユーザのスケジュール・イベントを設定するための命令に従って時間軸の形で表示され、ユーザのスケジュール情報の表示効果が高まり、ユーザ・エクスペリエンスの改善が支援される。
【００１６】
実施形態２
図３に示すように、本発明の１実施形態では端末を提供する。当該端末は、命令受信ユニット３１、スケジュール表示ユニット３２および拡張表示グループ確立ユニット３３を備える。
【００１７】
命令受信ユニット３１は、ユーザのスケジュール・イベントを設定するための命令を受信するように構成される。当該スケジュール・イベントはスケジュール内容とスケジュール日を含み、さらにスケジュール状態を含み、スケジュール状態は完了状態と未完了状態を含む。場合によっては、新たに確立したスケジュール・イベントのスケジュール状態は全て未完了状態に設定される。スケジュール表示ユニット３２は、当該スケジュール・イベントを時間軸に表示するように構成される。
【００１８】
ここで、カレンダ時間は時間軸に記録される。時間軸の、各スケジュール・イベントの表示位置に対応するカレンダ時間は、各スケジュール・イベントのスケジュール日と整合する。スケジュール表示ユニット３２はさらに、スケジュール・イベントを表示しつつスケジュール状態を表示するように構成される。
【００１９】
具体的には、当該時間軸上でカレンダ時間がマークされ、スケジュール表示ユニット３２はさらに第１の表示サブユニットを備える。当該第１の表示サブユニットは、当該スケジュール日に対応し当該時間軸上にあるスケジュール・イベントをカレンダ時間に表示するように構成される。
【００２０】
拡張表示グループ確立ユニット３３は、同一のスケジュール日にあるスケジュール・イベントの数がディスプレイ・インタフェースの表示範囲を超過したときに、当該表示範囲を超過したスケジュール・イベントに対する拡張表示グループを確立するように構成される。スケジュール表示ユニット３２はさらに、時間軸のカレンダ時間に対応する位置にある拡張表示グループのグラフィック・オブジェクトを表示するように構成される。拡張表示グループが確立されるケースでは、拡張表示グループのグラフィック・オブジェクトを開くための命令を端末がユーザから受信したときに、拡張表示グループの各スケジュール・イベントが新たに確立されたインタフェースに表示される。
【００２１】
さらに、スケジュール表示ユニット３２はさらに、第２の表示サブユニットおよび第３の表示サブユニットを備える。当該第２の表示サブユニットは、当該スケジュール・イベントの当該スケジュール状態に従って当該スケジュール・イベントを当該時間軸の２つの側に表示するように構成される。具体的には、スケジュール状態が未完了であるスケジュール・イベントを時間軸の一方の側に表示し、スケジュール状態が完了であるスケジュール・イベントを時間軸の他方の側に表示する。
【００２２】
当該第３の表示サブユニットは、当該スケジュール・イベントの当該スケジュール状態が変化したときに、当該スケジュール・イベントを当該時間軸の他方に移動して表示するように構成される。
【００２３】
端末に表示されたスケジュール内容とスケジュール状態を、図４に示すように例を通して説明する。図４では、時間軸は水平方向に沿っており、カレンダ時間は当該時間軸に記録され、例としてのみ、当該カレンダ時間は２０１１年１２月２０日から２０１１年１２月２５日である。スケジュール・イベントＴ１、Ｔ２、Ｔ３およびＴ４は、ユーザのスケジュールを設定するための命令に従って端末により別々に確立されると仮定され、Ｔ１、Ｔ２、Ｔ３およびＴ４のスケジュール内容、スケジュール日およびスケジュール状態を以下の表１にそれぞれ示す。
【００２４】
【表１】
0005824779.tif 000002
【００２５】
したがって、端末のディスプレイ・インタフェースにおける対応する表示状態が図４に示されている。図４に表示したディスプレイにおいて、未完了のスケジュール・イベントを端末のディスプレイ・インタフェースにおける時間軸の一方の側に表示し、完了したスケジュール・イベントを時間軸の他方の側に表示し、スケジュール内容がスケジュール・イベントごとに明確に表示され、各スケジュール・イベントが時間軸上のカレンダ時間に対応することが分かる。図４のディスプレイにおいて、スケジュール状態はスケジュール・イベントに表示されていないが、スケジュール状態を図５に示すように平行に表示してもよい。スケジュール・イベントが完了した後に、完了したスケジュール・イベントを時間軸の一方の側から時間軸の他方の側へ移して表示し、スケジュール状態を完了に変更する。
【００２６】
上述した図５をなお例とすると、この時点で、未完了状態から完了状態に変更されたスケジュール・イベントがある場合には、例えば、Ｔ２が完了状態に変更され、スケジュール表示ユニット３２の第３の表示サブユニットは完了したスケジュール・イベントＴ２を時間軸の一方の側から時間軸の他方の側へ移して表示し、そのスケジュール状態も図６に示すように完了状態に変更する。
【００２７】
実際の適用では、スケジュール状態の未完了状態から完了状態への変更を、ユーザの手動設定により実現してもよく、事前設定された条件に従って端末により自動的に達成してもよく、例えば、メールの送信に成功したときに、メール送信の当該スケジュール・イベントに対応するスケジュール状態を未完了状態から完了状態へ変更すると規定してもよい。さらに、スケジュール状態を未完了から完了に変更することによって本発明の当該実施形態を説明する。実際のシナリオでは、スケジュール状態をユーザのニーズに従って完了から未完了に変更してもよく、本発明の当該実施形態では限定されない。
【００２８】
拡張グループ確立ユニット３３は、同一のスケジュール日のスケジュール・イベントの数が端末のディスプレイ・インタフェースの表示範囲を超えたときに、同一のスケジュール日にあり表示範囲を超えたスケジュール・イベントごとに拡張表示グループを確立するように構成される。それに応じて、スケジュール表示ユニット３２はさらに、時間軸のカレンダ時間に対応する位置にある拡張表示グループのグラフィック・オブジェクトを表示するように構成される。場合によっては、拡張表示グループが確立されるケースでは、拡張表示グループのグラフィック・オブジェクトを開くための命令を端末がユーザから受信したときに、拡張表示グループの各スケジュール・イベントが新たに確立されたインタフェースに表示される。拡張表示グループの表示を表１に基づく例を通じて説明する。スケジュール・イベントＴ１およびＴ２に加えて、以下の表２に示すスケジュール・イベントＲ１乃至Ｒ４のスケジュール日も２０１１年１２月２２日である。
【００２９】
【表２】
0005824779.tif 000003
【００３０】
さらに、端末のディスプレイ・インタフェースの時間軸の一方の側の表示空間が２０１１年１２月２２日の全てのスケジュール・イベントを表示するのに十分でないので（ここで、時間軸の一方の側と他方の側は高々３つのスケジュール・イベントを表示できるにすぎないと仮定してもよい）、拡張表示グループを同一のスケジュール日にあり表示範囲を超過したスケジュール・イベントごとに確立し、拡張表示グループのグラフィック・オブジェクトを表示する。図７に示すように、スケジュール・イベントと拡張表示グループ７３の両方を端末のディスプレイ・インタフェース７１に表示する。拡張表示グループ７３を例示的に図７においてＲ２、Ｒ３およびＲ４に従って確立する。明らかに、拡張表示グループ７３をＲ１乃至Ｒ４のうち任意の３つに従って確立してもよい。さらに、本発明の当該実施形態で説明したケースは、３つのスケジュール・イベントのみが時間軸の一方の側または他方の側に表示されうるということである。実際の適用では、端末のディスプレイ・インタフェースの表示範囲は変化し、したがって、表示できるスケジュール・イベントの数も変化する。これは実際のシナリオでは限定されない。図７の表示方式に基づいて、拡張表示グループのグラフィック・オブジェクトを開く（例えば、グラフィック・オブジェクトに対してマウスのクリックまたはスクリーンのタッチ動作を実施）するための命令をユーザから受信した場合には、拡張表示グループ７３の各スケジュール・イベントが新たに確立されたインタフェース７２に表示される。
【００３１】
さらに、スケジュール・イベントがスケジュール重要度を含んでもよく、このケースでは、スケジュール表示ユニット３２はさらに第４の表示サブユニットを備える。当該第４の表示サブユニットは、当該スケジュール・イベントのスケジュール重要度と様々な属性に従って、当該スケジュール・イベントを当該時間軸に表示するように構成される。
【００３２】
なお表１を例として、スケジュール・イベントＴ１の重要度がスケジュール・イベントＴ２の重要度より高い場合には、図５に示すように表示される。スケジュールＴ１の重要度がスケジュール・イベントＴ２の重要度より低い場合には、図８に示すように表示され、スケジュール内容の重要度が高いスケジュール・イベントが、スケジュール内容の重要度が低いスケジュール・イベントより時間軸に近いようにする。明らかに、実際の利用では、スケジュール・イベントの重要度をより明確に区別するために、重要度が異なるスケジュール・イベントをマークし、異なる色を用いて端末のディスプレイ・インタフェースに表示してもよい。
【００３３】
本発明の当該実施形態で説明した端末が携帯電話、タブレット・コンピュータ、携帯情報端末、ポータブル・コンピュータ、またはデスクトップ・コンピュータ等であってもよく、本発明の当該実施形態では限定されない。
【００３４】
さらに、本発明の当該実施形態では、端末のディスプレイ・インタフェースにおける時間軸が横方向に伸びてもよく、縦方向に伸びてもよい。例えば、端末が風景画の表示を実施するときには、時間軸が横方向に伸びてもよく、完了したスケジュール・イベントおよび未完了のスケジュール・イベントをそれぞれ時間軸の上側と下側に配置してもよく、端末が人物画の表示を実施するときには、時間軸が縦方向に伸びてもよく、完了したスケジュール・イベントおよび未完了のスケジュール・イベントをそれぞれ時間軸の左側と右側に配置してもよい。端末のディスプレイ・インタフェースに表示できる時間軸とその２つの側のスケジュール・イベントの部分は限られているので、端末のディスプレイ・インタフェースにおける時間軸を、端末のマウス、キー、またはタッチ・スクリーンを介して移動するように動作させて、前のスケジュール・イベントと将来のスケジュール・イベントを見えるようにしてもよく、具体的な解決策は本発明の当該実施形態では限定されない。
【００３５】
さらに、本発明の当該実施形態の端末のスケジュール表示インタフェースでは、グラフィック・アイコンを用いてスケジュール内容を示してもよく、または、スケジュール・イベントのトピックを単純な言語で説明してもよい。スケジュール・イベントのトピックがユーザによってさらに操作された（例えば、スケジュール・イベントのトピックがマウスでクリックされた）ときには、スケジュール・イベントの詳細な内容が新たなインタフェースに表示される。これは本発明の当該実施形態によっては限定されない。
【００３６】
本発明の第２の実施形態で提供する端末では、ユーザのスケジュールを設定するための命令に従って、未完了のスケジュール・イベントを端末のディスプレイ・インタフェースの時間軸の一方の側に表示し、完了したスケジュール・イベントを時間軸の他方の側に表示してもよく、一方、スケジュール・イベントの表示をスケジュール・イベントの重要度に従って区別し配置してもよく、より多くのスケジュール・イベントを、拡張表示グループを通して新たなインタフェースにさらに表示してもよい。スケジュール・イベントを時間軸に沿った当該時間軸の２つの側に別々に表示するための端末と方法によれば、スケジュール情報の表示効果が高まり、完了したスケジュール作業と未完了のスケジュール作業およびスケジュール作業の重要度を明確に区別することができ、それによりユーザ・エクスペリエンスが改善される。
【００３７】
実施形態３
本発明の１実施形態ではさらにスケジュール表示方法を提供する。図９に示すように、当該方法は以下のステップを含む。
【００３８】
９０１では、ユーザのスケジュール・イベントを設定するための命令を受信する。当該スケジュール・イベントはスケジュール内容とスケジュール日を含む。当該スケジュール・イベントはさらにスケジュール状態を含み、当該スケジュール状態は完了状態と未完了状態を含む。場合によっては、新たに確立されたスケジュール・イベントのスケジュール状態はデフォルトで全て未完了状態に設定される。９０２では、スケジュールを設定するための命令に従って当該スケジュール・イベントを時間軸に表示する。
【００３９】
ここで、当該時間軸上でカレンダ時間がマークされ、スケジュール表示が実施されたときに、各スケジュール・イベントが、当該スケジュール日に対応し当該時間軸上にあるカレンダ時間に表示される。
【００４０】
特定の表示中に、スケジュール・イベントを当該スケジュール・イベントの当該スケジュール状態に従って時間軸の２つの側に表示してもよい。例えば、スケジュール状態が未完了であるスケジュール・イベントを時間軸の一方の側に表示し、スケジュール状態が完了であるスケジュール・イベントを時間軸の他方の側に表示する。場合によっては、スケジュール・イベントの状態が変更されたときに、当該スケジュール・イベントを他方に表示する。例えば、スケジュール・イベントが完了したときには、完了したスケジュール・イベントを、未完了スケジュール・イベントが表示されている時間軸の一方の側と反対にある時間軸の他方に移動して表示する。
【００４１】
実際の適用では、スケジュール状態の未完了状態から完了状態への変更を、ユーザの手動設定により実現してもよく、事前設定された条件に従って端末により自動的に実現してもよく、例えば、メールの送信に成功したときに、メール送信の当該スケジュール・イベントに対応するスケジュール状態を未完了状態から完了状態へ変更すると規定してもよい。さらに、スケジュール状態を未完了から完了に変更することによって本発明の当該実施形態を説明する。実際のシナリオでは、スケジュール状態をユーザのニーズに従って完了から未完了に変更してもよく、本発明の当該実施形態では限定されない。
【００４２】
さらに、本発明の当該実施形態で提供した方法では、同一のスケジュール日にあるスケジュール・イベントの数が端末のディスプレイ・インタフェースの表示範囲を超過したときに、拡張表示グループがさらに同一のスケジュール日にあり表示範囲を超過したスケジュール・イベントに対して確立され、拡張表示グループのグラフィック・オブジェクトが時間軸のカレンダ時間に対応する位置に表示される。場合によっては、拡張表示グループが確立されるケースでは、拡張表示グループのグラフィック・オブジェクトを開くための命令を端末がユーザから受信したときに、拡張表示グループの各スケジュール・イベントが新たに確立されたインタフェースに表示される。具体的な説明については、本発明の諸実施形態の端末部分に関する以上の説明を参照することができ、詳細についてはここでは繰り返し説明しない。
【００４３】
さらに場合によっては、スケジュール・イベントを設定するための命令がスケジュール内容の重要度に関する情報を含んでもよい。この場合、本発明の当該実施形態で提供した方法では、当該スケジュール・イベントをさらにスケジュール内容の重要度と様々な属性に従って時間軸に表示してもよい。当該様々な属性には、スケジュール・イベントと当該時間軸の距離とスケジュール・イベントの表示色のような少なくとも１つの属性が含まれる。例えば、同一のスケジュール日を有するスケジュール・イベントを表示するときには、スケジュール内容の重要度が高いスケジュール・イベントが、スケジュール内容の重要度が低いスケジュール・イベントより時間軸に近いようにするか、または、スケジュールの重要度が高いスケジュール・イベントを赤で表示する、等である。その具体的な説明については、本発明の諸実施形態の端末部分に関する以上の説明を参照することができ、詳細についてはここでは繰り返し説明しない。
【００４４】
さらに、本発明の当該実施形態では、端末のディスプレイ・インタフェースにおける時間軸が横方向に伸びてもよく、縦方向に伸びてもよい。例えば、端末が風景画の表示を実施するときには、時間軸が横方向に伸びてもよく、完了したスケジュール・イベントおよび未完了のスケジュール・イベントをそれぞれ時間軸の上側と下側に配置してもよく、端末が人物画の表示を実施するときには、時間軸が縦方向に伸びてもよく、完了したスケジュール・イベントと未完了のスケジュール・イベントをそれぞれ時間軸の左側と右側に配置してもよい。端末のディスプレイ・インタフェースに表示できる時間軸とその２つの側のスケジュール・イベントの部分は限られているので、端末のディスプレイ・インタフェースにおける時間軸を、端末のマウス、キー、またはタッチ・スクリーンを介して移動するように動作させて、前のスケジュール・イベントと将来のスケジュール・イベントを見えるようにしてもよい。
【００４５】
直線に沿って横方向または横方向に表示する以外に、本発明の当該実施形態で端末のディスプレイ・インタフェースに表示した時間軸を他のグラフィック方式を用いて表示してもよく、例えば、時間軸は一定のラジアンを有する曲線または輪等であり、本発明の当該実施形態では限定されない。
【００４６】
本発明の第３の実施形態で提供したスケジュール表示方法では、ユーザのスケジュールを設定するための命令に従って、未完了のスケジュール・イベントを端末のディスプレイ・インタフェースの時間軸の一方の側に表示し、完了したスケジュール・イベントを時間軸の他方の側に表示してもよく、一方で、スケジュール・イベントの表示をスケジュール・イベントの重要度に従って区別し配置してもよく、より多くのスケジュール・イベントを、拡張表示グループを通して新たなインタフェースにさらに表示してもよい。スケジュール・イベントを時間軸に沿った当該時間軸の２つの側に別々に表示するための端末と方法によれば、スケジュール情報の表示効果が高まり、完了したスケジュール作業と未完了のスケジュール作業およびスケジュール作業の重要度を明確に区別することができ、それによりユーザ・エクスペリエンスが改善される。
【００４７】
以上の方法の実施形態のステップの全部または一部を、関連するハードウェアに命令するプログラムにより実施してもよいことは当業者には理解される。当該プログラムをコンピュータ可読記憶媒体に格納してもよい。当該プログラムを実行したときに、以上の方法の実施形態のステップを実行してもよい。当該記憶媒体は、ＲＯＭ、ＲＡＭ、磁気ディスク、または光ディスクのようなプログラム・コードを格納できる任意の媒体であってもよい。
【００４８】
以上は本発明の特定の諸実施形態にすぎず、本発明の保護範囲を限定しようとするものではない。本発明に開示した技術的範囲において当業者が容易に導出できる任意の変形または置換えは本発明の保護範囲に入るものとする。したがって、本発明の保護範囲は特許請求の範囲の保護範囲により支配される。
【符号の説明】
【００４９】
２１  命令受信ユニット
２２  スケジュール表示ユニット
３１  命令受信ユニット
３２  スケジュール表示ユニット
３３  拡張表示グループ確立ユニット
【図１】
0005824779.tif 000004
【図２】
0005824779.tif 000005
【図３】
0005824779.tif 000006
【図４】
0005824779.tif 000007
【図５】
0005824779.tif 000008
【図６】
0005824779.tif 000009
【図７】
0005824779.tif 000010
【図８】
0005824779.tif 000011
【図９】
0005824779.tif 000012